(57)【特許請求の範囲】
【請求項１】
高解像度の映像信号と低解像度の映像信号を、それぞれに相互の対応関係を示すためのインデックス情報を付加して放送電波として送信する送信装置から放送されてきた映像信号を受信する受信装置において、
前記送信装置から放送電波として送信された映像信号を受信する受信手段と、
受信した前記映像信号の中から、低解像度の映像信号を抽出する抽出手段と、
抽出された前記低解像度の映像信号を記録する記録手段と、
前記記録手段に記録されている前記低解像度の映像信号を編集して、削除又は接合が可能な編集手段と、
編集された前記低解像度の映像信号に含まれているインデックス情報を抽出し、前記送信装置によって過去に放送電波として送信された映像信号を保持している情報処理装置に対して、抽出した前記インデックス情報を出力する出力手段と、
を有し、
前記出力手段が出力するインデックス情報により、前記編集手段で編集された映像信号と同様の編集状態の高解像度の映像信号を前記情報処理装置が出力できるようにしたことを特徴とする受信装置。
【請求項２】
高解像度の映像信号と低解像度の映像信号を、それぞれに相互の対応関係を示すためのインデックス情報を付加して放送電波として送信する送信装置から放送されてきた映像信号を受信する受信装置において、
前記送信装置から放送電波として送信された映像信号を受信する受信手段と、
受信した前記映像信号の中から、低解像度の映像信号を抽出する抽出手段と、
抽出された前記低解像度の映像信号を記録する記録手段と、
前記記録手段に記録されている前記低解像度の映像信号を編集して、削除又は接合が可能な編集手段と、
編集された前記低解像度の映像信号に含まれているインデックス情報を抽出し、前記送信装置によって過去に放送電波として送信された映像信号を保持している情報処理手段に対して、抽出した前記インデックス情報を出力する出力手段と、
を有し、
前記出力手段が出力するインデックス情報により、前記編集手段で編集された映像信号と同様の編集状態の高解像度の映像信号を前記情報処理手段が出力できるようにしたことを特徴とし、
上記情報処理手段は、
前記送信装置から伝送された映像信号を入力する入力手段と、
受信した前記映像信号の中から、高解像度の映像信号を抽出する抽出手段と、
抽出された前記高解像度の映像信号を記録する記録手段と、
前記インデックス情報により要求された区間の映像信号を読み出す読み出し手段とを有し、
前記読み出された映像信号を、前記出力手段が出力する
ことを有することを特徴とする受信装置。
【請求項３】
高解像度の映像信号と低解像度の映像信号のそれぞれに、相互の対応関係を示すためのインデックス情報を付加して送信する送信装置から伝送されてきた映像信号を記録する情報処理装置において、
前記送信装置から伝送された映像信号を入力する入力手段と、
受信した前記映像信号の中から、高解像度の映像信号を抽出する抽出手段と、
抽出された前記高解像度の映像信号を記録する記録手段と、
低解像度の映像信号を受信する所定の受信装置から、映像信号を取得する要求が発生した場合には、前記受信装置から伝送されたインデックス情報により要求された区間の映像信号を読み出す読み出し手段と、
前記読み出された映像信号を、要求を行った前記受信装置とは別の高解像度の映像信号を受信する受信装置に対して出力する出力手段と、
を有することを特徴とする情報処理装置。
【請求項４】
高解像度の映像信号と低解像度の映像信号のそれぞれに、相互の対応関係を示すためのインデックス情報を付加して送信する送信装置から伝送されてきた映像信号を記録する情報処理装置において、
前記送信装置から伝送された映像信号を入力する入力手段と、
受信した前記映像信号の中から、高解像度の映像信号を抽出する抽出手段と、
抽出された前記高解像度の映像信号を記録する記録手段と、
低解像度の映像信号を受信する所定の第１の受信手段から、映像信号を取得する要求が発生した場合には、前記第１の受信手段から伝送されたインデックス情報により要求された区間の映像信号を読み出す読み出し手段と、
前記読み出された映像信号を、高解像度の映像信号を受信する第２の受信手段に対して出力する出力手段と、
受信した前記映像信号の中から、高解像度の映像信号を抽出する抽出手段と、
抽出された前記高解像度の映像信号を再生する再生手段と
を有することを特徴とする情報処理装置。
【発明の詳細な説明】
【０００１】
【発明の属する技術分野】
本発明は受信装置および情報処理装置に関し、特に、解像度が異なる複数の映像信号を送信側から送信し、受信側の対応する受信装置において受信する受信装置および情報処理装置に関する。
【０００２】
【従来の技術】
テレビジョン放送においては、従来、地上波放送や衛星放送などのように、放送局側が、所定のタイムスケジュールに従って、映像信号（動画、音声、および、文字情報等からなる信号）を一方的に送信する方法が一般的である。
【０００３】
また、このようにして送信されてきた映像信号を、ユーザ側で録画する方法としては、ＶＴＲ（Video Tape Recorder ）などを用いる方法が一般的である。
【０００４】
【発明が解決しようとする課題】
しかしながら、従来の放送方式では、視聴しようとする番組が同時に複数存在する場合には、前述のＶＴＲなどにより裏番組を録画し、時間をずらして視聴することが行われていた。ところで、ＶＴＲでは、一度に複数の番組を録画することは困難であるので、ユーザが保有するＶＴＲの台数によって、視聴可能な番組数が制限されるという問題点があった。
【０００５】
また、ＶＴＲによって録画した番組を編集する（例えば、番組の合間に挿入されているコマーシャルを削除したり、２つの番組を結合する）場合、少なくとも２台のＶＴＲを用いて、マスターとなるテープから、他方のテープへダビングする必要があった。従って、操作が非常に煩雑となるとともに、ダビングする際の映像信号の劣化を免れないという問題点もあった。
【０００６】
本発明はこのような点に鑑みてなされたものであり、複数の番組を番組放送後に視聴することを可能とするとともに、簡単な操作でしかも映像信号を劣化させることなく編集を可能とする受信装置および情報処理装置を提供することを目的とする。
【０００７】
【課題を解決するための手段】
本発明では上記課題を解決するために、解像度が異なる複数の映像信号のそれぞれに、相互の対応関係を示すためのインデックス情報を付加して送信する送信装置から伝送されてきた映像信号を受信する受信装置において、前記送信装置から送信された映像信号を受信する受信手段と、受信した映像信号の中から、解像度が最も低い映像信号を抽出する抽出手段と、抽出された前記映像信号を記録する記録手段と、前記記録手段に記録されている映像信号を編集する編集手段と、編集された映像信号に含まれているインデックス情報を抽出し、前記送信装置によって過去に送信された映像信号を保持している映像サーバに対して、抽出したインデックス情報を出力する出力手段と、を有する受信装置が提供される。
【０００８】
ここで、受信手段は、送信装置から送信された映像信号を受信する。抽出手段は、受信した映像信号の中から、解像度が最も低い映像信号を抽出する。記録手段は、抽出された映像信号を記録する。編集手段は、記録手段に記録されている映像信号を編集する。出力手段は、編集された映像信号に含まれているインデックス情報を抽出し、送信装置によって過去に送信された映像信号を保持している映像サーバに対して、抽出したインデックス情報を出力する。
【００１３】
更にまた、解像度が異なる複数の映像信号のそれぞれに、相互の対応関係を示すためのインデックス情報を付加して送信する送信装置から伝送されてきた映像信号を記録する映像サーバにおいて、前記送信装置から伝送された映像信号を入力する入力手段と、受信した映像信号の中から、解像度が最も高い映像信号を抽出する抽出手段と、抽出された映像信号を記録する記録手段と、所定の受信装置から、映像信号を取得する要求が発生した場合には、インデックス情報を参照し、対応する映像信号を読み出す読み出し手段と、読み出された映像信号を、要求を行った受信装置に対応し、かつ、解像度の高い映像信号を受信可能な他の受信装置に対して出力する出力手段と、を有することを特徴とする映像サーバが提供される。
【００１４】
ここで、入力手段は、送信装置から伝送された映像信号を入力する。抽出手段は、受信した映像信号の中から、解像度が最も高い映像信号を抽出する。記録手段は、抽出された映像信号を記録する。読み出し手段は、所定の受信装置から、映像信号を取得する要求が発生した場合には、インデックス情報を参照し、対応する映像信号を読み出す。出力手段は、読み出された映像信号を、要求を行った受信装置に対応し、かつ、解像度の高い映像信号を受信可能な他の受信装置に対して出力する。
【００１５】
【発明の実施の形態】
以下、本発明の実施の形態を図面を参照して説明する。
図１は、本発明の原理図である。この図において、送信装置１は、高解像度（例えば、６４０×４００画素）と、低解像度（例えば、３２０×２００画素）の２種類の映像信号に対して、後述するインデックス情報を付加した後、携帯用受信装置２、映像サーバ３および高解像度受信装置４に対して送信する。
【００１６】
携帯用受信装置２は、ユーザが携行可能とされており、送信装置１から送信された映像信号のうち、低解像度の映像信号を受信して記録するとともに、記録した映像信号の中から、ユーザが視聴を希望するものが選択された場合には、映像信号に付加されているインデックス情報を参照して、対応する番組を映像サーバから取得する処理を行う。
【００１７】
映像サーバ３は、送信装置１から送信された映像信号のうち、高解像度の映像信号を抽出して記録するとともに、携帯用受信装置２から所定の番組の取得要求がなされた場合には、インデックス情報を参照して、対応する映像信号を読み出して高解像度受信装置４に対して出力する。
【００１８】
高解像度受信装置４は、送信装置１から送信された映像信号のうち、高解像度の映像信号を再生・記録するとともに、ユーザの要求により、映像サーバ３から、高解像度の映像信号が伝送されてきた場合には、その信号を再生・記録する。
【００１９】
次に、個々の装置の詳細について説明する。
送信装置１は、高解像度と低解像度の２種類の映像信号を生成する映像生成手段１ａ、インデックス情報（チャンネルＩＤ（Identification）、番組ＩＤ、番組開始時刻、番組終了時刻、および、現在時刻などからなる情報）を生成するインデックス情報付加手段１ｂ、放送電波等により映像信号を携帯用受信装置２と高解像度受信装置４に対して送信する送信手段１ｃ、および、ネットワーク等を介して映像信号を映像サーバ３に出力する出力手段１ｄにより構成されている。
【００２０】
携帯用受信装置２は、映像信号を受信する受信手段２ａ、低解像度の映像信号を抽出する抽出手段２ｂ、映像信号を記録する記録手段２ｃ、記録手段２ｃに記録された映像信号を編集する編集手段２ｄ、および、所定の番組を映像サーバ３から取得する要求を出力する出力手段２ｅにより構成されている。
【００２１】
映像サーバ３は、送信装置１から送信された映像信号を入力する入力手段３ａ、入力された映像信号のうち、高解像度の映像信号を抽出する抽出手段３ｂ、抽出された高解像度の映像信号を記録する記録手段３ｃ、携帯用受信装置２からの要求に応じて映像信号を読み出す読み出し手段３ｄ、および、読み出された映像信号を高解像度受信装置４に対して出力する出力手段３ｅにより構成されている。
【００２２】
高解像度受信装置４は、送信装置１および映像サーバ３から送信された映像信号を受信する受信手段４ａ、受信した映像信号から高解像度の映像信号を抽出する抽出手段４ｂおよび抽出された映像信号を再生する再生手段４ｃにより構成されている。
【００２３】
このような、システムにおいて、ユーザは、送信装置１から送信される低解像度の映像信号を携帯用受信装置２により視聴し、必要な番組があれば、記録手段２ｃに記録させる。そして、記録した番組の中で、高解像度での視聴を希望するものがあれば、編集手段２ｄによって対応する番組を選出し、その番組に含まれているインデックス情報を抽出した後、出力手段２ｅを介して映像サーバ３に出力する。
【００２４】
映像サーバ３は、送信装置１から出力された映像信号（インデックス情報が付加された高解像度の映像信号）を記録手段３ｃに記録しており、携帯用受信装置２からインデックス情報が出力された場合には、記録手段３ｃから対応するインデックス情報が付加された映像信号（高解像度の映像信号）を抽出し、出力手段３ｅを介して出力する。
【００２５】
高解像度受信装置４は、映像サーバ３から出力された高解像度の映像信号を受信手段４ａによって受信し、再生手段４ｃにより再生する。なお、抽出手段４ｂは、送信装置１から送信された映像信号から高解像度の映像信号を抽出する。
【００２６】
図２は、図１に示す送信装置１の構成例を示すブロック図である。
なお、図１に示す原理図と図２に示す構成例との対応関係は、以下のようになる。
【００２７】
即ち、映像生成手段１ａの機能は、映像生成部１１が有している。インデックス情報付加手段１ｂの機能は、インデックス情報生成部１２とインデックス情報インデックス情報付加部１３が有している。また、送信手段１ｃの機能は、送信部１４が有している。更に、出力手段１ｄの機能は、インターフェース部１５が有している。
【００２８】
以上のような実施の形態において、映像生成部１１は、例えば、テレビカメラやＶＴＲから出力された映像信号（高解像度の信号）から、間引きなどの処理により低解像度の映像信号を生成し、得られた２種類の映像信号を、インデックス情報付加部１３に出力する。インデックス情報生成部１２は、映像生成部１１から出力された映像信号に対応する、インデックス情報（詳細は後述する）を生成して出力する。インデックス情報付加部１３は、インデックス情報生成部１２によって生成されたインデックス情報を映像信号に対して付加する。送信部１４は、インデックス情報が付加された映像信号を搬送波に重畳し、アンテナ１６および衛星１８を介して、携帯用受信装置２および高解像度受信装置４に対して送信する。インターフェース部１５は、インデックス情報が付加された映像信号をネットワーク（例えば、インターネット）を介して、映像サーバ３に対して出力する。
【００２９】
次に、図３を参照して、図１に示す携帯用受信装置２の構成例について説明する。
なお、図１に示す原理図と図３に示す構成例との対応関係は以下のようになる。
【００３０】
即ち、受信手段２ａの機能は、チューナ部２１が有している。抽出手段２ｂの機能は、低解像度映像信号抽出部２２が有している。記録手段２ｃの機能は、記録部２４が有している。編集手段２ｄの機能は、編集部２５、映像信号再生部２３、スピーカ（ＳＰ）２７、および、表示部２８が有している。出力手段２ｅの機能は、インターフェース部２６が有している。
【００３１】
以上のような実施の形態において、チューナ部２１は、衛星１８を介して送信装置１から伝送されてきた放送電波を受信した後、復調処理を施すことにより映像信号を取得する。低解像度映像信号抽出部２２は、受信した映像信号から低解像度の映像信号のみを抽出し、映像信号再生部２３に供給する。映像信号再生部２３は、映像信号から音声信号と画像信号とを分離抽出し、それぞれ、ＳＰ２７と表示装置２８とに供給する。ＳＰ２７は、映像信号再生部２３から出力された音声信号を音声に変換して出力する。また、表示部２８は、ＬＣＤ（liquid Crystal Display）などにより構成されており、映像信号再生部２３から出力された画像信号を表示出力する。記録部２４は、例えば、ハードディスクにより構成されており、映像信号再生部２３によって再生された映像信号を記録する。編集部２５は、ＣＰＵ（Central Processing Unit ）、ＲＯＭ（Read Only Memory）、ＲＡＭ（Random Access Memory）などによって構成されており、記録部２４に記録されている映像信号を読み出して、編集するとともに、ユーザが高解像度の映像の視聴を希望する場合には、対応する映像信号（低解像度の映像信号）に含まれているインデックス情報を記録部２４から読み出して、インターフェース部２６、および、ネットワーク１７を介して、映像サーバ３へ出力する。インターフェース部２６は、映像信号の取得要求コマンドを所定の通信プロトコルに応じて変調し、ネットワーク１７を介して映像サーバ３へ出力する。
【００３２】
次に、図４を参照して図１に示す映像サーバ３の構成例について説明する。
なお、図１に示す原理図と図４に示す構成例との対応関係は、以下のようになる。
【００３３】
入力手段３ａの機能は、インターフェース部３１が有している。抽出手段３ｂの機能は、高解像度映像信号抽出部３２が有している。記録手段３ｃの機能は、記録部３４が有している。読み出し手段３ｄの機能は、読み出し部３５およびインデックス情報抽出部３６が有している。更に、出力手段３ｅの機能は、インターフェース部３１が有している。
【００３４】
以上のような実施の形態において、インターフェース部３１は、送信装置１から伝送されてきた映像信号を受信して復調する。高解像度映像信号抽出部３２は、映像信号から高解像度の映像信号を抽出する。書き込み部３３は、抽出された高解像度の映像信号を記録部３４に記録する。読み出し部３５は、携帯用受信装置２から映像の取得要求がなされた場合には、インデックス情報抽出部３６から供給されるインデックス情報（要求された映像信号に対応するインデックス情報）に対応する映像信号を読み出してインターフェース部３１に出力する。インデックス情報抽出部３６は、携帯用受信装置２から映像信号の送信要求がなされた場合には、受信した取得要求コマンドからインデックス情報を抽出する。
【００３５】
次に、図５を参照して、図１に示す高解像度受信装置４の構成例について説明する。
なお、図１に示す原理図と図５に示す構成例との対応関係は以下のようになる。
【００３６】
即ち、受信手段４ａの機能は、チューナ部４１およびインターフェース部４７が有している。抽出手段４ｂの機能は、高解像度映像信号抽出部４２が有している。再生手段４ｃの機能は、映像信号再生部４３、ＶＴＲ４４、スピーカ４５およびモニタ４６が有している。
【００３７】
以上のような実施の形態において、チューナ部４１は、衛星１８を介して送信装置１から伝送されてきた放送電波を受信した後、復調処理を施すことにより映像信号を取得する。高解像度映像信号抽出部４２は、受信した映像信号から高解像度の映像信号のみを抽出し、映像信号再生部４３に供給する。映像信号再生部４３は、映像信号から音声信号と画像信号とを分離抽出し、それぞれ、スピーカ４５とモニタ４６とに供給する。スピーカ４５は、映像信号再生部４３から出力された音声信号を音声に変換して出力する。また、モニタ４６は、ＣＲＴ（Cathode Ray Tube）モニタなどにより構成されており、映像信号再生部４３から出力された画像信号を表示出力する。ＶＴＲ４４は、映像信号再生部４３によって再生された映像信号を記録・再生する。インターフェース部４７は、ネットワーク１７を介して、映像サーバ３から伝送されてきた映像信号を受信して復調し、映像信号再生部４３へ出力する。
【００３８】
次に、図６〜図９を参照し、以上の実施の形態の動作について説明する。
いま、図２に示す送信装置１において、図示せぬテレビカメラによって撮影された映像信号が入力されたとすると、映像生成部１１は、元の映像信号（高解像度の映像信号）を、例えば、所定の割合で画素を間引きすることにより低解像度の映像信号を生成する。なお、このとき、映像信号に含まれている音声信号に対しても、所定の方式により圧縮処理を施すようにしてもよい。
【００３９】
映像生成部１１から出力された高解像度と低解像度の２種類の映像信号は、インデックス情報付加部１３に入力され、そこで、インデックス情報が付加される。
【００４０】
ここで、インデックス情報の１例を図６に示す。
インデックス情報は、その放送局のチャンネル数を特定するためのチャンネルＩＤ５１、番組名を特定するための番組ＩＤ５２、その番組の開始時刻を示す開始時刻５３、終了時刻を示す終了時刻５４、および、現在の時刻を示す現在時刻５５等によって構成されている。従って、インデックス情報を参照することにより、高解像度と低解像度の画像の相互の対応関係を知ることができる。
【００４１】
このようなインデックス情報は、インデックス情報生成部１２によって生成され、インデックス情報付加部１３において、高解像度および低解像度の映像信号にそれぞれ付加される。
【００４２】
インデックス情報が付加された２種類の映像信号は、送信部１４とインターフェース部１５に供給される。送信部１４は、インデックス情報が付加された２種類の映像信号を、例えば、衛星放送帯域の搬送波に重畳させ、アンテナ１６を介して送信する。その結果、送信された電波は、衛星１８によって中継された後、携帯用受信装置２または高解像度受信装置４に伝送される。インターフェース部１５は、２種類の映像信号を所定の伝送プロトコルに従って変調し、ネットワーク１７を介して映像サーバ３に出力する。
【００４３】
なお、この例では、映像サーバ３に対しては、ネットワーク１７を介して２種類の映像信号を出力するようにしたが、高解像度の映像信号のみをネットワーク１７を介して伝送するようにしてもよい。
【００４４】
ネットワーク１７を介して出力された２種類の映像信号は、映像サーバ３のインタフェース部３１より入力される。インタフェース部３１は、信号を復調した後、高解像度映像信号抽出部３２に出力する。高解像度映像信号抽出部３２は、インタフェース部３１から出力された２種類の映像信号から、高解像度の映像信号を抽出し、書き込み部３３に供給する。書き込み部３３は、高解像度の映像信号を、例えば、所定の方式に従って情報圧縮した後、記録部３４の所定の領域に書き込む。
【００４５】
以上のようにして、映像サーバ３の記録部３４には、送信装置１から送信された高解像度の映像信号が記録されていくことになる。なお、送信装置１が複数存在する場合には、その数に応じて、高解像度映像信号抽出部３２と書き込み部３３を複数用意すればよい。または、送信装置１の数に応じた数の映像サーバ３をネットワーク１７上に配置するようにしてもよい。
【００４６】
一方、送信装置１の送信部１４から送信された電波は、図３に示す携帯用受信装置２によっても受信される。携帯用受信装置２のチューナ部２１は、衛星１８によって中継された電波を受信して復調する。復調された映像信号からは、低解像度映像信号抽出部２２によって、低解像度の映像信号のみが抽出され、映像信号再生部２３に供給される。映像信号再生部２３は、映像信号から音声信号と画像信号を抽出し、ＳＰ２７と表示部２８とにそれぞれ供給する。その結果、ユーザは、送信装置１が現在送信（放送）している番組を、低解像度の映像信号により視聴することが可能となる。なお、ユーザが視聴した映像信号は、所定の圧縮処理が施された後、記録部２４に逐次格納されていくことになる。また、このとき、映像信号に含まれているインデックス情報（図６参照）も、記録部２４に記録される。
【００４７】
なお、視聴した番組が自動的に記録されるのではなく、例えば、指定した場合のみに記録部２４に記録されるようにしてもよい。
携帯用受信装置２の記録部２４に記録された映像信号は、編集部２５から所定の操作を行うことにより、編集処理を施すことが可能となる。
【００４８】
図７は、編集処理を行う場合に表示されるインタフェース画面の１例を示している。この表示画面は、ユーザが、編集部２５に接続されている操作部（例えば、タッチパネル）から所定の入力を行った場合に表示される。
【００４９】
この表示例では、画面の上部に、編集の対象となっているチャンネル（この例では「１８２ｃｈ」）、番組名（この例では「Today's Asia」）、番組の開始時刻（この例では「１６：００：００」）、番組の終了時刻（この例では、「１７：００：００」）、および、現在表示されている画像に対応する時刻（以下、現時刻という）（この例では、「１６：３２：０１」）が表示されている。
【００５０】
画面の中央部のウィンドウ１００には、現在編集の対象とされている画像が表示されている。また、画面の右上部には、ダイアル１０１が表示されており、再生する部分を前後させる場合に操作される。また、「送信開始」ボタン１０２は、編集された映像に対応する高解像度の映像を映像サーバ３から取得する場合に操作される。「停止」ボタン１０３は、送信装置１から高解像度の映像信号の送信が開始された後、送信を停止する場合に操作される。
【００５１】
「編集」ボタン１０４は、編集メニュー（図示せず）を表示させる場合に操作されるボタンであり、このボタンを操作した結果表示されるメニューから所定のコマンドを選択することにより、映像信号の所定の部分を削除したり、複数の異なる映像信号を接合したりすることが可能となる。なお、映像の編集処理については、従来から、種々知られているので、その説明については省略する。ポインタ１０５は、映像信号の現在表示されている部位を指示する。
【００５２】
このような表示画面において、記録部２４に記録されている映像信号が編集された後、「送信開始」ボタン１０２が押圧されると、編集部２５は、記録部２４から、対応するインデックス情報を読み出して所定の情報を付加した後、インターフェース部２６、および、ネットワーク１７を介して映像サーバ３に送出する。
【００５３】
図８は、この時、映像サーバ３に対して送信される情報の１例を示している。この例では、ネットワーク１７上におけるユーザのアドレスを示すユーザアドレス６１、ユーザを特定するためのユーザＩＤ６２、送信を希望するチャンネルを特定するためのチャンネルＩＤ６３、番組名を特定するための番組ＩＤ６４、その番組において、取得を希望する部分の最初の時刻を指定する開始時刻６５、および、最後の時刻を指定する終了時刻６６によって構成されている。
【００５４】
例えば、図７に現在表示されている番組「Today's Asia」の全てを、映像サーバ３から取得する場合には、ユーザアドレス６１およびユーザＩＤ６２として、高解像度受信装置４（高解像度の映像の送信先）のユーザのユーザアドレスとユーザＩＤとが選択され、チャンネルＩＤ６３としては「１８２」が選択され、番組ＩＤ６４、開始時刻６５、および、終了時刻６６としては、「Today's Asia」、「１６：００：００」、「１７：００：００」が選択されることになる。
【００５５】
なお、複数の番組を連続して送信する場合や、コマーシャルなどを削除しようとする場合には、連続する映像信号に対応する個数だけ、図８に示すようなデータが送信されることになる。また、ユーザが番組の一部しか視聴できなかった場合においても、開始時刻と終了時刻を適宜設定することにより、番組の全ての映像信号を取得することができる。
【００５６】
以上のようにして携帯用受信装置２から送信されたデータは、ネットワーク１７を介して、図４に示す、映像サーバ３によって受信される。
映像サーバ３のインターフェース部３１は、携帯用受信装置２から送信されたデータを入力して復調し、インデックス情報抽出部３６に供給する。
【００５７】
インデックス情報抽出部３６は、インターフェース部３１から供給されたデータから、インデックス情報を抽出し、読み出し部３５に供給する。その結果、読み出し部３５は、インデックス情報に対応する高解像度の映像信号を記録部３４から読み出し、所定のヘッダ情報を付加した後、インターフェース部３１、および、ネットワーク１７を介して、高解像度受信装置４に送信する。
【００５８】
図９は、このとき映像信号に付加されるヘッダ情報の１例を示している。この例では、送信先（高解像度受信装置４）のユーザのアドレスを示すユーザアドレス７１（＝ユーザアドレス６１）、ユーザを特定するためのユーザＩＤ７２（＝ユーザＩＤ６２）、送信されるチャンネルを特定するためのチャンネルＩＤ７３、番組を特定するための番組ＩＤ７４、送信される番組の開始時刻、終了時刻、および、現時刻を示す、開始時刻７５、終了時刻７６、および、現時刻７７が含まれている。
【００５９】
例えば、先ほどの例では、番組ＩＤ６４として「Today's Asia」が、また、開始時刻および終了時刻として「１６：００：００」および「１７：００：００」が抽出され、対応する映像信号が記録部３４から読み出される。そして、ヘッダ情報としては、高解像度受信装置４のユーザのネットワーク上のアドレスと、そのユーザのＩＤが、それぞれ、ユーザアドレス７１およびユーザＩＤとして選択され、また、チャンネルＩＤ７３、番組ＩＤ７４、開始時刻７５、および、終了時刻７６として、「１８２ｃｈ」、「Today's Asia」、「１６：００：００」および「１７：００：００」がそれぞれ選択され、更に、読み出された映像信号のインデックスに含まれている現在時刻５５が現時刻７７として選択され、生成されたヘッダが付加された映像信号が、ネットワーク１７を介して、高解像度受信装置４に対して出力されることになる。
【００６０】
その結果、図５に示す高解像度受信装置４では、インタフェース部４７により、伝送されてきた映像信号を受信して復調した後、映像信号再生部４３により再生処理を施すことにより、携帯用受信装置２において編集された映像をＶＴＲ４４に記録したり、または、スピーカ４５およびモニタ４６によりユーザが直接視聴することが可能となる。
【００６１】
以上の実施の形態によれば、携帯用受信装置２の記録部２４（ハードディスク）に記録された情報は、ランダムアクセスすることが可能となるので、映像の編集作業を迅速に行うことが可能となる。
【００６２】
また、ユーザが外出中である場合においても、携帯用受信装置２により、実際の映像を参照しながら、映像の保存または編集を行うことが可能となるので、例えば、野球放送の延長などによって番組の放送時間が変更された場合においても、所望の番組を確実に記録することが可能となる。
【００６３】
更に、携帯用受信装置２は、低解像度の映像信号を用いて編集作業を行うようにしたので、装置の規模を小さくすることができるとともに、編集作業を迅速に実行することが可能となる。
【００６４】
更にまた、編集の終了後に、低解像度の映像に対応する高解像度の画像を高解像度受信装置４により視聴・記録することが可能となる。
なお、以上の実施の形態においては、送信装置１と映像サーバ３、携帯用受信装置２と映像サーバ３、映像サーバ３と高解像度受信装置４の間をネットワーク１７により接続し、また、送信装置１と携帯用受信装置２、送信装置１と高解像度受信装置４との間は衛星などを介して電波により伝送するようにしたが、本発明は、このような場合にのみ限定されるものではなく、例えば、光ケーブルやディジタル回線などを用いることも可能であることは言うまでもない。
【００６５】
【発明の効果】
以上説明したように本発明では、送信装置よりインデックス情報を付加した複数の解像度の映像信号を送信し、映像サーバでは高解像度の映像信号を記録し、また、携帯用の受信装置では低解像度の映像信号を受信して編集を行った後、必要な映像がある場合には、インデックス情報を映像サーバに送信し、その結果として、高解像度の受信装置により編集された所望の画像を視聴することができるようにしたので、映像の編集を、情報の容量が少ない低解像度の映像信号に対して行うことが可能となり、その結果、編集作業を容易に行うことができる。
【図面の簡単な説明】
【図１】本発明の原理図である。
【図２】図１に示す送信装置の構成例を示すブロック図である。
【図３】図１に示す携帯用受信装置の構成例を示すブロック図である。
【図４】図１に示す映像サーバの構成例を示すブロック図である。
【図５】図１に示す高解像度受信装置の構成例を示すブロック図である。
【図６】送信装置から送信される映像信号に付加されているインデックス情報の１例である。
【図７】図３に示す携帯用受信装置において編集作業を行う場合に表示される画面の表示例である。
【図８】図３に示す携帯用受信装置から映像信号を取得する場合に、映像サーバに対して伝送される取得要求コマンドの１例である。
【図９】図８に示すデータを受信した結果、映像サーバが送信する映像信号に付加されるヘッダ情報の１例である。
【符号の説明】
１ａ……映像生成手段、  １ｂ……インデックス情報付加手段、  １ｃ……送信手段、  １ｄ……出力手段、  ２ａ……受信手段、  ２ｂ……抽出手段、  ２ｃ……記録手段、  ２ｄ……編集手段、  ２ｅ……出力手段、  ３ａ……入力手段、  ３ｂ……抽出手段、  ３ｃ……記録手段、  ３ｄ……読み出し手段、  ３ｅ……出力手段、  ４ａ……受信手段、  ４ｂ……抽出手段、  ４ｃ……再生手段
【図１】
0003772502.tif 000002
【図２】
0003772502.tif 000003
【図３】
0003772502.tif 000004
【図４】
0003772502.tif 000005
【図５】
0003772502.tif 000006
【図６】
0003772502.tif 000007
【図７】
0003772502.tif 000008
【図８】
0003772502.tif 000009
【図９】
0003772502.tif 000010